(57)【要約】【課題】必要な各人へ伝達されるように携帯情報端末へ防災情報を配信することができる。【解決手段】リスト登録部４６は、防災情報の配信を希望する場所を表す場所情報リストであって、端末の現在位置及び前記現在位置とは異なる設定位置を格納した場所情報リストを作成し、防災情報配信サーバへ送信する。位置計測部５０は、端末の現在位置を計測し、防災情報配信サーバへ送信する。気象業務支援センサーサーバから出力された、位置情報を含む注意報情報又は警報情報に含まれる位置情報に該当する位置が、場所情報リストに格納されている場合、通信部４０が、防災情報配信サーバから配信された防災情報を受信し、警報通知部５２によりユーザに対して通知する。【選択図】図２
2017041777.tif 000002
【特許請求の範囲】
【請求項１】
ユーザの携帯情報端末毎に登録したメールアドレス、電話番号、又は端末ＩＤを含むユーザ情報をユーザＩＤと対応付けて記憶したユーザ情報記憶手段と、
前記携帯情報端末から、防災情報の配信を希望する場所を表す場所情報リストであって、前記携帯情報端末の現在位置及び前記現在位置とは異なる設定位置を格納した場所情報リストの入力を受け付けるリスト情報受付手段と、
前記リスト情報受付手段によって受け付けた前記場所情報リストを、リスト情報記憶手段に、前記携帯情報端末のユーザのユーザＩＤと対応付けて登録するリスト情報登録手段と、
前記携帯情報端末から、前記携帯情報端末の現在の位置情報の入力を受け付ける位置情報受付手段と、
前記位置情報受付手段によって受け付けた前記携帯情報端末の現在の位置情報を、前記リスト情報記憶手段に、前記携帯情報端末のユーザＩＤと対応付けて登録されている場所情報リストの現在位置の欄に登録する位置情報登録手段と、
気象業務支援センサーサーバから、位置情報を含む注意報情報又は警報情報の入力を受け付ける警報情報受付手段と、
前記警報情報受付手段によって受け付けた前記注意報情報又は警報情報に含まれる位置情報に基づいて、前記リスト情報記憶手段から、前記位置情報に該当する位置が格納されている場所情報リストを抽出するリスト抽出手段と、
前記リスト抽出手段によって抽出された場所情報リストのユーザＩＤと対応付けて前記ユーザ情報記憶手段に登録されているユーザ情報に基づいて、前記携帯情報端末へ防災情報を配信する防災情報配信手段と、
を含む防災情報配信サーバ。
【請求項２】
前記場所情報リストは、格納されている位置毎に、場所名を更に格納し、
前記防災情報配信手段は、前記携帯情報端末へ、前記リスト抽出手段によって抽出された前記場所情報リストの前記該当する位置に対応する場所名と共に前記防災情報を配信する請求項１記載の防災情報配信サーバ。
【請求項３】
前記場所情報リストには、前記現在位置とは異なる設定位置として、前記携帯情報端末のユーザとは異なる人が存在する位置が格納されている請求項１又は２記載の防災情報配信サーバ。
【請求項４】
前記防災情報配信手段は、前記携帯情報端末へのプッシュ通知を利用して、前記防災情報を配信する請求項１〜請求項３の何れか１項記載の防災情報配信サーバ。
【請求項５】
ユーザのメールアドレス、電話番号、又は端末ＩＤを含むユーザ情報を防災情報配信サーバへ送信するユーザ情報送信手段と、
防災情報の配信を希望する場所を表すリストであって、端末の現在位置及び前記現在位置とは異なる設定位置を格納したリストを作成し、前記防災情報配信サーバへ送信するリスト作成手段と、
端末の現在位置を計測し、前記防災情報配信サーバへ送信する位置計測手段と、
気象業務支援センサーサーバから出力された、位置情報を含む注意報情報又は警報情報に含まれる位置情報に該当する位置が、前記リストに格納されている場合、前記防災情報配信サーバから配信された防災情報を受信する防災情報受信手段と、
を含む携帯情報端末。
【請求項６】
前記リスト作成手段は、表示手段により表示された地図上で前記設定位置の指定を受け付けて、前記リストを作成する請求項５記載の携帯情報端末。
【請求項７】
請求項１〜請求項４の何れか１項記載の防災情報配信サーバと、
請求項５又は６記載の携帯情報端末と、
を含む防災情報配信システム。
【請求項８】
ユーザの携帯情報端末毎に登録したメールアドレス、電話番号、又は端末ＩＤを含むユーザ情報をユーザＩＤと対応付けて記憶したユーザ情報記憶手段を含むコンピュータに、
前記携帯情報端末から、防災情報の配信を希望する場所を表す場所情報リストであって、前記携帯情報端末の現在位置及び前記現在位置とは異なる設定位置を格納した場所情報リストの入力を受け付けるリスト情報受付手段、
前記リスト情報受付手段によって受け付けた前記場所情報リストを、リスト情報記憶手段に、前記携帯情報端末のユーザのユーザＩＤと対応付けて登録するリスト情報登録手段、
前記携帯情報端末から、前記携帯情報端末の現在の位置情報の入力を受け付ける位置情報受付手段、
前記位置情報受付手段によって受け付けた前記携帯情報端末の現在の位置情報を、前記リスト情報記憶手段に、前記携帯情報端末のユーザＩＤと対応付けて登録されている場所情報リストの現在位置の欄に登録する位置情報登録手段、
気象業務支援センサーサーバから、位置情報を含む注意報情報又は警報情報の入力を受け付ける警報情報受付手段、
前記警報情報受付手段によって受け付けた前記注意報情報又は警報情報に含まれる位置情報に基づいて、前記リスト情報記憶手段から、前記位置情報に該当する位置が格納されている場所情報リストを抽出するリスト抽出手段、及び
前記リスト抽出手段によって抽出された場所情報リストのユーザＩＤと対応付けて前記ユーザ情報記憶手段に登録されているユーザ情報に基づいて、前記携帯情報端末へ防災情報を配信する防災情報配信手段
として機能させるためのプログラム。
【請求項９】
コンピュータを、
ユーザのメールアドレス、電話番号、又は端末ＩＤを含むユーザ情報を防災情報配信サーバへ送信するユーザ情報送信手段、
防災情報の配信を希望する場所を表すリストであって、端末の現在位置及び前記現在位置とは異なる設定位置を格納したリストを作成し、前記防災情報配信サーバへ送信するリスト作成手段、
端末の現在位置を計測し、前記防災情報配信サーバへ送信する位置計測手段、及び
気象業務支援センサーサーバから出力された、位置情報を含む注意報情報又は警報情報に含まれる位置情報に該当する位置が、前記リストに格納されている場合、前記防災情報配信サーバから配信された防災情報を受信する防災情報受信手段
として機能させるためのプログラム。
【発明の詳細な説明】
【技術分野】
【０００１】
本発明は、防災情報配信サーバ、携帯情報端末、防災情報配信システム、及びプログラムに係り、特に、携帯情報端末へ防災情報を配信するための防災情報配信サーバ、携帯情報端末、防災情報配信システム、及びプログラムに関する。
【背景技術】
【０００２】
従来より、データ通信機能、位置情報取得機能を持ち、かつ地図アプリが標準搭載されたスマートフォン等のモバイル端末が普及してきている。
【０００３】
さらに、土砂災害リスク情報、集中豪雨等の警報、予測等の精度も向上し、メッシュ情報の提供も始まっている。
【０００４】
また、これまでの気象・地象情報および注意報、警報等の主な伝達方法として、（１）テレビ、ラジオ等を用いて、不特定多数に向けて放送する方法（限定方法は放送の範囲のみ可能）、（２）防災無線、電話、FAX等で地方自治体等に伝達し、その先は有線放送や車等で伝達する方法、（３）地方自治体のWebサイトや電子メールで伝達する方法（例えば、特許文献１）、（４）携帯基地局や端末内GPSによる携帯電話等の位置情報に基づいて情報配信する方法（例えば、特許文献２）がある。
【先行技術文献】
【特許文献】
【０００５】
【特許文献１】特開２００６−２１５９４２号公報
【特許文献２】特開２００６−３０１９６９号公報
【発明の概要】
【発明が解決しようとする課題】
【０００６】
しかしながら、上記の（１）〜（４）の方法では、せっかくの防災情報が、残念ながら、本当に必要な各人に伝達され、活用される状況にはない。
【０００７】
特に、上記（１）〜（３）の方法では、詳細な位置情報に基づくピンポイントでの情報配信はできない。また、上記（４）の方法では、現在端末が存在する場所に限り可能である。
【０００８】
本発明は、上記の事情を鑑みてなされたもので、必要な各人へ伝達されるように携帯情報端末へ防災情報を配信することができる防災情報配信サーバ、携帯情報端末、防災情報配信システム、及びプログラムを提供することを目的とする。
【課題を解決するための手段】
【０００９】
上記の目的を達成するために第１の発明に係る防災情報配信サーバは、ユーザの携帯情報端末毎に登録したメールアドレス、電話番号、又は端末ＩＤを含むユーザ情報をユーザＩＤと対応付けて記憶したユーザ情報記憶手段と、前記携帯情報端末から、防災情報の配信を希望する場所を表す場所情報リストであって、前記携帯情報端末の現在位置及び前記現在位置とは異なる設定位置を格納した場所情報リストの入力を受け付けるリスト情報受付手段と、前記顧客識別受付手段によって受け付けた前記場所情報リストを、リスト情報記憶手段に、前記携帯情報端末のユーザのユーザＩＤと対応付けて登録するリスト情報登録手段と、前記携帯情報端末から、前記携帯情報端末の現在の位置情報の入力を受け付ける位置情報受付手段と、前記位置情報受付手段によって受け付けた前記携帯情報端末の現在の位置情報を、前記リスト情報記憶手段に、前記携帯情報端末のユーザＩＤと対応付けて登録されている場所情報リストの現在位置の欄に登録する位置情報登録手段と、気象業務支援センサーサーバから、位置情報を含む注意報情報又は警報情報の入力を受け付ける警報情報受付手段と、前記警報情報受付手段によって受け付けた前記注意報情報又は警報情報に含まれる位置情報に基づいて、前記リスト情報記憶手段から、前記位置情報に該当する位置が格納されている場所情報リストを抽出するリスト抽出手段と、前記リスト抽出手段によって抽出された場所情報リストのユーザＩＤと対応付けて前記ユーザ情報記憶手段に登録されているユーザ情報に基づいて、前記携帯情報端末へ防災情報を配信する防災情報配信手段と、を含んで構成されている。
【００１０】
第２の発明に係るプログラムは、ユーザの携帯情報端末毎に登録したメールアドレス、電話番号、又は端末ＩＤを含むユーザ情報をユーザＩＤと対応付けて記憶したユーザ情報記憶手段を含むコンピュータに、前記携帯情報端末から、防災情報の配信を希望する場所を表す場所情報リストであって、前記携帯情報端末の現在位置及び前記現在位置とは異なる設定位置を格納した場所情報リストの入力を受け付けるリスト情報受付手段、前記顧客識別受付手段によって受け付けた前記場所情報リストを、リスト情報記憶手段に、前記携帯情報端末のユーザのユーザＩＤと対応付けて登録するリスト情報登録手段、前記携帯情報端末から、前記携帯情報端末の現在の位置情報の入力を受け付ける位置情報受付手段、前記位置情報受付手段によって受け付けた前記携帯情報端末の現在の位置情報を、前記リスト情報記憶手段に、前記携帯情報端末のユーザＩＤと対応付けて登録されている場所情報リストの現在位置の欄に登録する位置情報登録手段、気象業務支援センサーサーバから、位置情報を含む注意報情報又は警報情報の入力を受け付ける警報情報受付手段、前記警報情報受付手段によって受け付けた前記注意報情報又は警報情報に含まれる位置情報に基づいて、前記リスト情報記憶手段から、前記位置情報に該当する位置が格納されている場所情報リストを抽出するリスト抽出手段、及び前記リスト抽出手段によって抽出された場所情報リストのユーザＩＤと対応付けて前記ユーザ情報記憶手段に登録されているユーザ情報に基づいて、前記携帯情報端末へ防災情報を配信する防災情報配信手段として機能させるためのプログラムである。
【００１１】
第３の発明に係る携帯情報端末は、ユーザのメールアドレス、電話番号、又は端末ＩＤを含むユーザ情報を防災情報配信サーバへ送信するユーザ情報送信手段と、防災情報の配信を希望する場所を表すリストであって、端末の現在位置及び前記現在位置とは異なる設定位置を格納したリストを作成し、前記防災情報配信サーバへ送信するリスト作成手段と、端末の現在位置を計測し、前記防災情報配信サーバへ送信する位置計測手段と、気象業務支援センサーサーバから出力された、位置情報を含む注意報情報又は警報情報に含まれる位置情報に該当する位置が、前記リストに格納されている場合、前記防災情報配信サーバから配信された防災情報を受信する防災情報受信手段と、を含んで構成されている。
【００１２】
第４の発明に係るプログラムは、コンピュータを、ユーザのメールアドレス、電話番号、又は端末ＩＤを含むユーザ情報を防災情報配信サーバへ送信するユーザ情報送信手段、防災情報の配信を希望する場所を表すリストであって、端末の現在位置及び前記現在位置とは異なる設定位置を格納したリストを作成し、前記防災情報配信サーバへ送信するリスト作成手段、端末の現在位置を計測し、前記防災情報配信サーバへ送信する位置計測手段、及び気象業務支援センサーサーバから出力された、位置情報を含む注意報情報又は警報情報に含まれる位置情報に該当する位置が、前記リストに格納されている場合、前記防災情報配信サーバから配信された防災情報を受信する防災情報受信手段として機能させるためのプログラムである。
【００１３】
第５の発明に係る防災情報配信システムは、第１の発明に係る防災情報配信サーバと、第３の発明に係る携帯情報端末と、を含んで構成されている。
【００１４】
上記のプログラムは、記憶媒体に格納して提供することができる。
【発明の効果】
【００１５】
以上説明したように、本発明の防災情報配信サーバ、携帯情報端末、防災情報配信システム、及びプログラムによれば、必要な各人へ伝達されるように携帯情報端末へ防災情報を配信することができる、という効果が得られる。
【図面の簡単な説明】
【００１６】
【図１】本発明の本発明の実施の形態に係る防災情報配信システムの構成を示す概略図である。
【図２】本発明の本発明の実施の形態に係る防災情報配信システムの携帯情報端末の構成を示すブロック図である。
【図３】登録画面の遷移の一例を示す図である。
【図４】本発明の本発明の実施の形態に係る防災情報配信システムの防災情報配信サーバの構成を示すブロック図である。
【図５】本発明の本発明の実施の形態に係る携帯情報端末の処理ルーチンの内容を示すフローチャートである。
【図６】本発明の本発明の実施の形態に係る防災情報配信サーバの処理ルーチンの内容を示すフローチャートである。
【図７】本発明の本発明の実施の形態に係る防災情報配信システムの処理の流れを示すシーケンス図である。
【図８】本発明の本発明の実施の形態に係る防災情報配信システムの処理の流れを示すシーケンス図である。
【図９】本発明の本発明の実施の形態に係る防災情報配信システムの処理の流れを示すシーケンス図である。
【発明を実施するための形態】
【００１７】
以下、図面を参照して本発明の実施の形態を詳細に説明する。
【００１８】
＜本発明の実施の形態の概要＞
現在普及を続ける、携帯電話やスマートフォン等のモバイル端末は、GPSや携帯基地局電波、Wi-Fi電波による端末位置情報（緯度・経度等）取得機能を有しているばかりでなく、Googleマップ（登録商標）等の地図アプリにより、自宅、両親や親戚・知人の家、子供の通う学校や習い事の教室等の位置情報を簡単に検索・取得・保存することができる。
【００１９】
そこで、本実施の形態では、携帯情報端末が、防災アプリにより、GPS、Wi-Fi電波、携帯電波を活用して自動的に現在位置を収集して管理し、防災情報配信サーバに通知する。
【００２０】
また、自宅、学校、職場、実家等の位置（緯度、経度、高度等）は、防災アプリが表示する地図で指定する。
【００２１】
この２つの方法により、ユーザは簡便に配信希望位置を格納した場所情報リストを作成することが可能である。場所情報リストは、携帯情報端末内に保持されるだけでなく、各人毎に防災情報配信サーバに登録され、端末情報、メールアドレスと共に管理される。
【００２２】
＜システム構成＞
図１に示すように、本発明の実施の形態に係る防災情報配信システム１０は、ユーザが操作する携帯情報端末１２と、防災情報配信サーバ１６と、気象業務支援センター側に設置される気象業務支援センターサーバ１８とを備えている。
【００２３】
携帯情報端末１２、防災情報配信サーバ１６、及び気象業務支援センターサーバ１８は、インターネットなどのネットワーク２４を介して接続されている。
【００２４】
携帯情報端末１２は、携帯電話、スマートフォン、あるいはノート型・ブック型コンピュータ端末等からなる。なお、携帯情報端末１２を、スマートフォンを一例として以下、説明する。携帯情報端末１２は、図２に示すように、通信部４０と、制御部４２と、表示部４４とを含んで構成されている。
【００２５】
通信部４０は、ネットワーク２４を介した通信を行う。表示部４４は、例えば、タッチパネルディスプレイからなり、所定のメニュー画面を表示するだけでなく、地図情報を表示する。また、表示部４４により、ユーザからの指示情報等を入力する。例えば、表示部４４に対するユーザの操作に従って、電話番号、メールアドレス等を入力する。
【００２６】
制御部４２は、ＣＰＵ、ＲＯＭ、ＲＡＭ、及びＨＤＤを備えたコンピュータで構成されており、ＨＤＤには、Ｗｅｂサーバ（図示省略）が提供するサイトからダウンロードし、かつ、インストールした、後述する各種処理ルーチンを含む防災アプリケーションソフトが記憶されている。制御部４２は、機能的には次に示すように構成されている。制御部４２は、リスト登録部４６、地図表示制御部４８、位置計測部５０、及び警報通知部５２を備えている。
【００２７】
リスト登録部４６は、防災情報配信サーバ１６に対してユーザ登録（メールアドレス、電話番号、端末ＩＤの登録）を行う。また、リスト登録部４６は、防災情報の配信を希望する場所を格納した場所情報リストを作成し、防災情報配信サーバ１６に対して登録を行う。
【００２８】
例えば、図３（Ａ）に示す情報配信希望場所登録画面を表示部４４に表示させて、「現在位置（GPS）」のチェックボックスに対するチェックを受け付けることで、自端末の位置（自分の現在地）を情報配信希望場所の１つとする。
【００２９】
また、図３（Ｂ）に示すように、地図表示制御部４８により、地図を表示部４４に表示させ、タップを受け付けることで、自宅等の、情報配信を希望する場所を指定させる。
【００３０】
また、吹き出しをタップすることにより、図３（Ｃ）に示すように、登録名指定用のポップアップを表示部４４に表示させて、場所に対する登録名の入力を受け付ける。また、[登録]ボタンへのタップを受け付けることで、地図上の緯度・経度・高度情報を保存する。また、図３（Ｄ）に示すように、表示画面の「＋」ボタンへのタップを受け付けることで、さらに情報配信希望場所を追加できるようにする。
【００３１】
このように、自端末の位置以外に、自宅や、学校、職場、実家等の位置（緯度、経度、高度等）を、防災アプリが表示する地図上で指定することにより、ユーザ以外の居場所についても簡易に登録することができる。
【００３２】
地図表示制御部４８は、携帯情報端末１２にインストールされている地図アプリを利用して、地図情報を表示させる。
【００３３】
位置計測部５０は、GPS、Wi-Fi電波、携帯電波を活用して自動的に現在位置を収集し、通信部４０を介して、防災情報配信サーバ１６へ随時通知する。
【００３４】
警報通知部５２は、防災情報配信サーバ１６から、防災情報のプッシュ通知を受信すると、表示部４４を用いて。防災情報を警報するようにユーザに対して通知する。このとき、防災情報に該当する場所について登録された登録名と共に通知する。
【００３５】
防災情報配信サーバ１６は、ＣＰＵ、ＲＯＭ、ＲＡＭ、及びＨＤＤを備えたコンピュータで構成されており、ＨＤＤには、後述する各種処理ルーチンに対するプログラムが記憶されている。
【００３６】
防災情報配信サーバ１６は、機能的には次に示すように構成されている。図４に示すように、防災情報配信サーバ１６は、通信部５６及び制御部６０を備えている。制御部６０は、ユーザ情報受付部６２、警報情報受付部６４、ユーザ情報データベース６８、ユーザ情報登録部７２、場所情報リスト登録部７４、場所情報リストデータベース７６、位置情報登録部７８、抽出部８４、及び防災情報配信部８６を備えている。
【００３７】
ユーザ情報受付部６２は、通信部５６により受信した、携帯情報端末１２から送信された情報を受け付ける。警報情報受付部６４は、通信部５６により受信した、気象業務支援センターサーバ１８から送信された情報を受け付ける。
【００３８】
ユーザ情報登録部７２は、携帯情報端末１２から送信された、ユーザの電話番号、メールアドレス、端末ＩＤを含むユーザ情報を、ユーザＩＤと共にユーザ情報データベース６８に登録する。
【００３９】
場所情報リスト登録部７４は、携帯情報端末１２から送信された、場所情報リストを、ユーザＩＤと共に場所情報リストデータベース７６に登録する。
【００４０】
位置情報登録部７８は、携帯情報端末１２から送信された、現在の位置情報を、場所情報リストデータベース７６に記憶されている、当該ユーザの場所情報リストの現在位置の欄に登録する。
【００４１】
抽出部８４は、気象業務支援センターサーバ１８から送信された気象庁情報に基づいて、該当する場所情報リストを場所情報リストデータベース７６から抽出する。
【００４２】
気象業務支援センターサーバ１８から配信される気象庁情報は、気象・地象の各種注意報、警報等の内容と対象地域等の位置情報を含む。
【００４３】
特に、土砂災害警戒判定メッシュ情報（http://www.jma.go.jp/jma/kishou/know/bosai/doshakeikai.html）は5km四方毎に、避難にかかる時間を考慮して、危険度の判定には2時間先までの土壌雨量指数等の予想を用いて土砂災害発生の危険度を5段階に判定した結果が示される。
【００４４】
抽出部８４は、気象庁情報内の対象地域情報又はメッシュ情報と、場所情報リストデータベース７６に登録されている場所情報リストに格納されている位置情報とを照合し、該当する位置情報を含む場所情報リストを場所情報リストデータベース７６から抽出する。
【００４５】
防災情報配信部８６は、抽出部８４によって抽出された場所情報リストのユーザＩＤに基づいて、ユーザ情報データベース６８からユーザ情報を取得し、ユーザ情報に基づいて、携帯情報端末１２に対して、防災情報を配信する。これによって、情報を必要とする人に絞り込んで情報を伝達することができる。配信方法は、電子メール、SMS/MMS、防災アプリへのIPプッシュによるポップアップ表示等を用いる。
【００４６】
＜防災情報配信システムの作用＞
次に、本発明の実施の形態に係る防災情報配信システム１０の作用について説明する。
【００４７】
まず、ユーザが、携帯情報端末１２を操作して、Webサーバから防災アプリケーションソフトをダウンロードして携帯情報端末１２にインストールすると、携帯情報端末１２の表示部４４に、設定画面が表示される。ユーザが、携帯情報端末１２を操作して、電話番号、メールアドレスを入力すると、携帯情報端末１２から、ユーザ情報（電話番号、メールアドレス、端末ＩＤ）が、防災情報配信サーバ１６へ送信される。
【００４８】
防災情報配信サーバ１６では、受信したユーザ情報に対して、ユーザＩＤを発行し、ユーザＩＤと共に、ユーザ情報を、ユーザ情報データベース６８へ登録する。
【００４９】
そして、ユーザが、携帯情報端末１２を操作して、携帯情報端末１２の表示部４４に、防災情報の配信場所を登録する画面を表示させたときに、携帯情報端末１２は、図５に示す処理ルーチンを実行する。
【００５０】
まず、ステップＳ１００において、現在位置のチェックボックスを有する画面や、地図表示画面を表示部４４に表示させて、防災情報の配信場所の登録を受け付ける。
【００５１】
そして、ステップＳ１０２において、防災情報の配信場所を追加するか否かを判定し、防災情報の配信場所の追加の指示を受け付けると、上記ステップＳ１００へ戻る。防災情報の配信場所を追加しない場合には、ステップＳ１０４へ移行し、登録された防災情報の配信場所を格納した場所情報リストを作成し、通信部４０を介して、防災情報配信サーバ１６へ送信し、処理ルーチンを終了する。
【００５２】
防災情報配信サーバ１６は、受信した場所情報リストを、場所情報リストデータベース７６に登録する。
【００５３】
また、携帯情報端末１２は、随時、現在位置を計測して、計測結果を、防災情報配信サーバ１６へ送信する。
【００５４】
防災情報配信サーバ１６は、受信した現在位置を、場所情報リストデータベース７６に登録されている、該当するユーザの場所情報リストの現在位置の欄に登録する。
【００５５】
気象業務支援センターサーバ１８から配信された気象庁情報を、防災情報配信サーバ１６が受信すると、防災情報配信サーバ１６は、図６に示す処理ルーチンを実行する。
【００５６】
まず、ステップＳ１１０において、気象庁情報に含まれる対象地域情報又はメッシュ情報から、該当する場所を特定する。
【００５７】
そして、ステップＳ１１２において、上記ステップＳ１１０で特定された場所を含む場所情報リストを、場所情報リストデータベース７６から抽出する。
【００５８】
ステップＳ１１４では、上記ステップＳ１１２で抽出された場所情報リストのユーザのユーザ情報に基づいて、上記ステップＳ１１２で抽出された場所情報リストのユーザの携帯情報端末１２に、該当する場所に対する登録場所名と共に防災情報を配信する。
【００５９】
ステップＳ１１６では、場所情報リストが抽出された全てのユーザに対して、上記ステップＳ１１４の処理を実行したか否かを判定し、上記ステップＳ１１４の処理が実行されていない、場所情報リストが抽出されたユーザが存在する場合には、上記ステップＳ１１４へ戻る。一方、場所情報リストが抽出された全てのユーザに対して、上記ステップＳ１１４の処理を実行した場合には、処理ルーチンを終了する。
【００６０】
次に、図７〜図９を参照して、携帯情報端末１２と防災情報配信サーバ１６と気象業務支援センターサーバ１８との間の情報のやりとりを含む、防災情報配信システム１０全体の処理の流れについて説明する。
【００６１】
まず、図７に示すように、ステップＳ１５０において、ユーザが、携帯情報端末１２を操作して、メールアドレス及び電話番号を入力すると、ステップＳ１５２において、携帯情報端末１２から、メールアドレス、電話番号、端末ＩＤを含むユーザ情報を、防災情報配信サーバ１６へ送信する。
【００６２】
防災情報配信サーバ１６では、受信したユーザ情報を保存し、仮登録を行う。そして、ステップＳ１５４において、メール又はＳＮＳ、ＩＶＲ（電話）を用いて、利用意思確認のための問い合わせを行う。
【００６３】
ステップＳ１５６において、ユーザが、メール、ＳＮＳ中のＵＲＬクリック、又はＩＶＲに対するプッシュボタン操作で利用意思確認を表明すると、ステップＳ１５８において、携帯情報端末１２は、利用意思確認情報を、防災情報配信サーバ１６へ送信する。ステップＳ１６０では、防災情報配信サーバ１６は、ユーザ情報の本登録を行い、ユーザＩＤを発行し、ステップＳ１６２において、ユーザ情報データベース６８に対して、ユーザＩＤと共にユーザ情報を登録する。
【００６４】
そして、図８に示すように、ステップＳ１６４において、ユーザは携帯情報端末１２を操作して、情報配信希望場所の登録開始を指示する。
【００６５】
そして、ステップＳ１６６において、ユーザは、現在位置のチェックボックスに対してチェック操作を行ったり、地図情報で、自宅等の場所を指定すると共に、場所名の登録を行って、複数の場所を登録する。
【００６６】
ステップＳ１６８では、携帯情報端末１２は、登録された場所を格納した場所情報リストを作成して、防災情報配信サーバ１６へ送信する。そして、ステップＳ１７０において、防災情報配信サーバ１６は、該当するユーザのユーザＩＤと共に、受信した場所情報リストを、場所情報リストデータベース７６に格納する。
【００６７】
そして、図９に示すように、ステップＳ１７２において、携帯情報端末１２は、計測した現在の位置情報を防災情報配信サーバ１６へ送信する。防災情報配信サーバ１６は、受信した位置情報を、場所情報リストデータベース７６に記憶されている該当する場所情報リストの現在位置の欄に登録する。
【００６８】
そして、ステップＳ１７４において、気象業務支援センターサーバ１８から、注意報や警報などを含む気象庁情報が配信される。ステップＳ１７６では、防災情報配信サーバ１６が、配信された気象庁情報を解読し、注意報や警報の該当場所の経度緯度を特定する。
【００６９】
そして、ステップＳ１７８において、場所情報リストデータベース７６に記憶されている場所情報リストの各々を参照し、該当場所の経度緯度と、場所情報リストの各場所の経度緯度とを比較して、該当場所を含む場所情報リストを抽出する。
【００７０】
ステップＳ１８０では、抽出された場所情報リストのユーザの携帯情報端末１２に対して、登録場所名と共に防災情報を配信する。
【００７１】
ステップＳ１８２では、携帯情報端末１２は、受信した防災情報と登録場所名とを表示部４４に表示して、ユーザに対して防災情報を通知する。
【００７２】
以上説明したように、本発明の実施の形態に係る防災情報配信システムによれば、必要な各人へ伝達されるように携帯情報端末へ防災情報を配信することができる。
【００７３】
従来の、モバイル端末の現在位置のみに基づく方法だけだと、各人がモバイル端末を保持しかつ使いこなせなければならず、デジタルデバイドの存在する現状では効果が半減してしまう。
【００７４】
本実施の形態では、携帯情報端末の位置情報のみならず、予め登録した自宅、両親・親戚・知人の家や学校、職場、塾、習い事教室の位置に基づき情報配信されるので、携帯情報端末のユーザのみならず、携帯情報端末のユーザと近い人々への情報伝達を見込むことができる。
【００７５】
携帯情報端末のユーザから近しい人への、人間関係に基づく緊急連絡によりデジタルデバイドを克服する情報伝達が可能となる。特に、メッシュ情報が得られる土砂災害情報を、本実施の形態で説明した方法にて配信することは、特に避難に時間がかかる老人や体の不自由な人に避難を開始するタイミングを逃さずに、ピンポイントで伝えられ有益である。
【００７６】
また、防災アプリでのポップアップ表示では、大きな音や画面フラッシュが可能となり、注意喚起には有効である。
【符号の説明】
【００７７】
１０   防災情報配信システム
１２   携帯情報端末
１６   防災情報配信サーバ
１８   気象業務支援センターサーバ
２４   ネットワーク
４０   通信部
４２   制御部
４４   表示部
４６   リスト登録部
４８   地図表示制御部
５０   位置計測部
５２   警報通知部
５６   通信部
６０   制御部
６２   ユーザ情報受付部
６４   警報情報受付部
６８   ユーザ情報データベース
７２   ユーザ情報登録部
７４   場所情報リスト登録部
７６   場所情報リストデータベース
７８   位置情報登録部
８４   抽出部
８６   防災情報配信部
【図１】
2017041777.tif 000003
【図２】
2017041777.tif 000004
【図３】
2017041777.tif 000005
【図４】
2017041777.tif 000006
【図５】
2017041777.tif 000007
【図６】
2017041777.tif 000008
【図７】
2017041777.tif 000009
【図８】
2017041777.tif 000010
【図９】
2017041777.tif 000011